【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果を導出させるために操作される導出操作手段と、
導出を許容する表示結果を決定する事前決定手段と、
遊技の進行を遅延させる遅延制御を実行可能な遅延制御手段と、
前記導出操作手段の操作態様を特定可能な報知状態に制御可能な報知状態制御手段と、
演出を実行する演出手段とを備え、
前記スロットマシンによって制御される遊技状態には、特別表示結果が導出されることで制御される特別遊技状態と、前記事前決定手段の決定結果が前記特別表示結果の導出を許容する特別決定結果となりかつ当該特別表示結果以外の表示結果が導出され当該特別決定結果が次ゲーム以降に持ち越されることで制御される持越遊技状態と、前記特別遊技状態および前記持越遊技状態とは異なる非持越遊技状態とが含まれ、
前記遅延制御手段は、前記持越遊技状態において前記事前決定手段の決定結果が特定決定結果であるときには前記遅延制御を実行可能であるのに対して、前記非持越遊技状態において前記事前決定手段の決定結果が前記特定決定結果であるときには前記遅延制御を実行不可能であり、
前記持越遊技状態においては、前記報知状態に制御するか否かの抽選を行うことが可能であり、
前記特別遊技状態および前記非持越遊技状態においては、前記報知状態に制御するか否かの抽選を行わず、
前記報知状態制御手段は、前記非持越遊技状態においては前記報知状態に制御せず、前記持越遊技状態においては前記報知状態に制御可能であり、
前記報知状態に制御するか否かの抽選の対象に前記事前決定手段の決定結果が前記特別決定結果になることは含まれず、
前記非持越遊技状態においては、前記事前決定手段の決定結果が前記特別決定結果となったときに、当該非持越遊技状態から前記持越遊技状態に遊技状態を移行させることを店員に促すための示唆として、特定条件の成立についての示唆と、前記特別決定結果以外の表示結果の導出前と後における前記演出手段の表示態様の変化による前記持越遊技状態への移行についての示唆とを、実行可能とした、スロットマシン。
【請求項２】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果を導出させるために操作される導出操作手段と、
導出を許容する表示結果を決定する事前決定手段と、
遊技の進行を遅延させる遅延制御を実行可能な遅延制御手段と、
前記導出操作手段の操作態様を特定可能な報知状態に制御可能な報知状態制御手段と、
演出を実行する演出手段とを備え、
前記スロットマシンによって制御される遊技状態には、特別表示結果が導出されることで制御される特別遊技状態と、前記事前決定手段の決定結果が前記特別表示結果の導出を許容する特別決定結果となりかつ当該特別表示結果が導出されることなく当該特別決定結果が次ゲーム以降に持ち越されることで制御される持越遊技状態と、前記特別遊技状態および前記持越遊技状態とは異なる非持越遊技状態とが含まれ、
前記遅延制御手段は、前記持越遊技状態において前記事前決定手段の決定結果が特定決定結果であるときと、前記非持越遊技状態において前記事前決定手段の決定結果が前記特定決定結果であるときとで、互いに異なる確率で前記遅延制御を実行し、
前記持越遊技状態においては、前記報知状態に制御するか否かの抽選を行うことが可能であり、
前記特別遊技状態および前記非持越遊技状態においては、前記報知状態に制御するか否かの抽選を行わず、
前記報知状態制御手段は、前記非持越遊技状態においては前記報知状態に制御せず、前記持越遊技状態においては前記報知状態に制御可能であり、
前記報知状態に制御するか否かの抽選の対象に前記事前決定手段の決定結果が前記特別決定結果になることは含まれず、
前記非持越遊技状態においては、前記事前決定手段の決定結果が前記特別決定結果となったときに、当該非持越遊技状態から前記持越遊技状態に遊技状態を移行させることを店員に促すための示唆として、特定条件の成立についての示唆と、前記特別決定結果以外の表示結果の導出前と後における前記演出手段の表示態様の変化による前記持越遊技状態への移行についての示唆とを、実行可能とした、スロットマシン。
【手続補正２】
【補正対象書類名】明細書
【補正対象項目名】０００７
【補正方法】変更
【補正の内容】
【０００７】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果を導出させるために操作される導出操作手段と、
導出を許容する表示結果を決定する事前決定手段と、
遊技の進行を遅延させる遅延制御を実行可能な遅延制御手段と、
前記導出操作手段の操作態様を特定可能な報知状態に制御可能な報知状態制御手段と、
演出を実行する演出手段とを備え、
前記スロットマシンによって制御される遊技状態には、特別表示結果が導出されることで制御される特別遊技状態と、前記事前決定手段の決定結果が前記特別表示結果の導出を許容する特別決定結果となりかつ当該特別表示結果以外の表示結果が導出され当該特別決定結果が次ゲーム以降に持ち越されることで制御される持越遊技状態と、前記特別遊技状態および前記持越遊技状態とは異なる非持越遊技状態とが含まれ、
前記遅延制御手段は、前記持越遊技状態において前記事前決定手段の決定結果が特定決定結果であるときには前記遅延制御を実行可能であるのに対して、前記非持越遊技状態において前記事前決定手段の決定結果が前記特定決定結果であるときには前記遅延制御を実行不可能であり、
前記持越遊技状態においては、前記報知状態に制御するか否かの抽選を行うことが可能であり、
前記特別遊技状態および前記非持越遊技状態においては、前記報知状態に制御するか否かの抽選を行わず、
前記報知状態制御手段は、前記非持越遊技状態においては前記報知状態に制御せず、前記持越遊技状態においては前記報知状態に制御可能であり、
前記報知状態に制御するか否かの抽選の対象に前記事前決定手段の決定結果が前記特別決定結果になることは含まれず、
前記非持越遊技状態においては、前記事前決定手段の決定結果が前記特別決定結果となったときに、当該非持越遊技状態から前記持越遊技状態に遊技状態を移行させることを店員に促すための示唆として、特定条件の成立についての示唆と、前記特別決定結果以外の表示結果の導出前と後における前記演出手段の表示態様の変化による前記持越遊技状態への移行についての示唆とを、実行可能とした。
さらに、各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果を導出させるために操作される導出操作手段と、
導出を許容する表示結果を決定する事前決定手段と、
遊技の進行を遅延させる遅延制御を実行可能な遅延制御手段と、
前記導出操作手段の操作態様を特定可能な報知状態に制御可能な報知状態制御手段と、
演出を実行する演出手段とを備え、
前記スロットマシンによって制御される遊技状態には、特別表示結果が導出されることで制御される特別遊技状態と、前記事前決定手段の決定結果が前記特別表示結果の導出を許容する特別決定結果となりかつ当該特別表示結果が導出されることなく当該特別決定結果が次ゲーム以降に持ち越されることで制御される持越遊技状態と、前記特別遊技状態および前記持越遊技状態とは異なる非持越遊技状態とが含まれ、
前記遅延制御手段は、前記持越遊技状態において前記事前決定手段の決定結果が特定決定結果であるときと、前記非持越遊技状態において前記事前決定手段の決定結果が前記特定決定結果であるときとで、互いに異なる確率で前記遅延制御を実行し、
前記持越遊技状態においては、前記報知状態に制御するか否かの抽選を行うことが可能であり、
前記特別遊技状態および前記非持越遊技状態においては、前記報知状態に制御するか否かの抽選を行わず、
前記報知状態制御手段は、前記非持越遊技状態においては前記報知状態に制御せず、前記持越遊技状態においては前記報知状態に制御可能であり、
前記報知状態に制御するか否かの抽選の対象に前記事前決定手段の決定結果が前記特別決定結果になることは含まれず、
前記非持越遊技状態においては、前記事前決定手段の決定結果が前記特別決定結果となったときに、当該非持越遊技状態から前記持越遊技状態に遊技状態を移行させることを店員に促すための示唆として、特定条件の成立についての示唆と、前記特別決定結果以外の表示結果の導出前と後における前記演出手段の表示態様の変化による前記持越遊技状態への移行についての示唆とを、実行可能とした。
スロットマシンは、以下の構成を備えるものでもよい。
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技の進行を遅延期間に亘って遅延させる遅延制御（フリーズ）を実行することが可能な遅延制御手段（メイン制御部４１）を備え、
新たな遊技者が遊技を開始するときの前記スロットマシンの状態として適正である適正状態（ＲＴ１）と、遊技が進行可能な状態であってかつ前記適正状態ではない非適正状態（ＲＴ０）とがあり、
前記スロットマシンは、前記非適正状態において遊技の進行に応じて成立可能な特定条件（ＣＢ当選）が成立したときに、前記非適正状態から前記適正状態に制御し、
前記遅延制御手段は、前記非適正状態に制御されているときに、前記遅延制御を実行しない（図１０に示すように、ＲＴ０中は、変則押しで操作されたときには、フリーズは実行されない。）。